(57)【要約】    【課題】釣り用バッグの把手を簡易な構成で一定の姿勢に保持することができる手段を提供する。    【解決手段】バッグ本体２の対向する外側壁にそれぞれ設けられた軸受け部３２と、略Ｕ字形状の両端に軸４１が形成され、該軸４１が上記軸受け部３２に支持されて、略Ｕ字形状の中央部がバッグ本体２の上方に位置するように起立する起立姿勢と、該中央部がバック本体２の底部付近に位置するように倒れ込む倒伏姿勢との間で姿勢変化する弾性変形可能な把手４とを具備してなり、上記起立姿勢から倒伏姿勢まで姿勢変化する間に、上記把手４の略Ｕ字形状を弾性変形させる不安定均衡位置を有し、且つ該不安定均衡位置から起立姿勢及び倒伏姿勢へ向かって該弾性変形が復元するように、上記軸４１が傾斜されたものである。【選択図】  図６
2006211960.tif 000002
【特許請求の範囲】
【請求項１】
バッグ本体の対向する外側壁にそれぞれ設けられた軸受け部と、略Ｕ字形状の両端に軸が形成され、該軸が上記軸受け部に支持されて、略Ｕ字形状の中央部がバッグ本体の上方に位置するように起立する起立姿勢と、該中央部がバック本体の底部付近に位置するように倒れ込む倒伏姿勢との間で姿勢変化する弾性変形可能な把手とを具備してなる釣り用バッグであって、
上記起立姿勢から倒伏姿勢まで姿勢変化する間に、上記把手の略Ｕ字形状を弾性変形させる不安定均衡位置を有し、且つ該不安定均衡位置から起立姿勢及び倒伏姿勢へ向かって該弾性変形が復元するように、上記軸が傾斜されたものである釣り用バッグ。
【請求項２】
上記把手の軸の少なくとも一方が、正面視において、軸線の一方側が水平方向より下方へ下がるように傾斜されたものである請求項１に記載の釣り用バッグ。
【請求項３】
上記把手の軸の少なくとも一方が、平面視において、軸線の一方側がバッグ本体外側へ向くように傾斜されたものである請求項１に記載の釣り用バッグ。
【請求項４】
上記把手の軸の少なくとも一方が、正面視において、軸線のバッグ本体外側が水平方向より下方へ下がるように傾斜されるとともに、平面視において、軸線のバッグ本体内側がバッグ本体外側へ向くように傾斜されたものである請求項１に記載の釣り用バッグ。
【請求項５】
上記把手は、その軸付近の所定領域において肉抜きがされたものである請求項１から４のいずれかに記載の釣り用バッグ。
【請求項６】
上記軸受け部は、弾性変形可能なものである請求項１から５のいずれかに記載の釣り用バッグ。
【請求項７】
上記把手は、対向する把手の中央部が起立姿勢において近接するように、バッグ本体から上方へ突出する部分がバッグ本体内側へ屈曲したものである請求項１から６のいずれかに記載の釣り用バッグ。
【発明の詳細な説明】
【技術分野】
【０００１】
本発明は、レジャー、特に魚釣りの際に携行する釣り用バッグに関するものである。
【背景技術】
【０００２】
例えば魚釣りをする場合には、釣り場に各種釣り道具や餌等の様々な荷物を持ち込む必要があるが、このような荷物を収納するバッグとして、従来より釣り用バッグが提供されている。
【０００３】
図７は、従来の釣り用バッグを示すものであるが、図に示すように、従来の釣り用バッグ９０は、合成樹脂からなる直方体容器であるバッグ本体９１と、該バッグ本体９１の側面に取り付けられた一対の把手９２とを具備してなる。バッグ本体９１の天板は、ファスナにより開閉可能となっており、該天板を開放してバッグ本体９１内に釣り道具や餌等を収納できるようになっている。一方、把手９２は、その基端部がバッグ本体９１の側面に取付用ステー９３に形成された軸受け部９４に嵌め込まれて、上下方向へ回動自在となっている（例えば特許文献１参照）。
【０００４】
上記釣り用バッグ９０を携帯する際には、図に示すように、一対の把手９２を上方へ起立させ、該把手９２を掴んで持ち運びする。また、バッグ本体９１内に収容した釣り道具や餌を取り出す際には、図に２点鎖線で示したように、把手９２を下方へ倒すことにより、バッグ本体９１の天板を開放した開口部より上側に把手９２が突出しないので、釣り道具等の出し入れの邪魔とならず、また、釣り用バッグ９０を足下に置いて釣りをする際に、把手９２がバッグ本体９１から側方へ突出しないので、足に引っかかる等して邪魔となることもない。
【０００５】
【特許文献１】特開２００３−２０４７４４号公報
【発明の開示】
【発明が解決しようとする課題】
【０００６】
しかし、従来の釣り用バッグ９０は把手９２が回動自在なので、例えば、一対の把手９２を起立させて持ち運ぼうとする際に、一方の把手９２を起立させてから他方の把手９２を起立させようとすれば、先に起立させた一方の把手９２が自重や風等により倒れ込むことがある。したがって、一対の把手９２をともに持った状態で起立させる必要があるが、魚釣りの際には、釣り用バッグ９０の他に釣り竿等の道具も持ち運ぶので、把手９２を起立させるために両手を使うことは煩わしい。
【０００７】
他方、釣り用バッグ９０を載置して魚釣りをしている際には、把手９２を下方へ倒して邪魔にならないようにしておくが、下方へ倒した把手９２が風に煽られる等して上方へ回動してばたつくことがある。例えば磯釣りの際に、磯に載置した釣り用バッグ９０の把手９２が足にたびたび接触すると、魚釣りに集中できないという問題がある。また、磯のように足場が不安定な場所では、把手９２が不用意に足に接触して欲しくないという要望もある。
【０００８】
本発明は、かかる課題に鑑みてなされたものであり、釣り用バッグの把手を簡易な構成で一定の姿勢に保持することができる手段を提供することを目的とする。
【課題を解決するための手段】
【０００９】
本発明は、バッグ本体の対向する外側壁にそれぞれ設けられた軸受け部と、略Ｕ字形状の両端に軸が形成され、該軸が上記軸受け部に支持されて、略Ｕ字形状の中央部がバッグ本体の上方に位置するように起立する起立姿勢と、該中央部がバック本体の底部付近に位置するように倒れ込む倒伏姿勢との間で姿勢変化する弾性変形可能な把手とを具備してなる釣り用バッグであって、上記起立姿勢から倒伏姿勢まで姿勢変化する間に、上記把手の略Ｕ字形状を弾性変形させる不安定均衡位置を有し、且つ該不安定均衡位置から起立姿勢及び倒伏姿勢へ向かって該弾性変形が復元するように、上記軸が傾斜されたものである。
【００１０】
上記把手を起立姿勢とすることにより、上記バッグ本体の上側で該把手を掴んで釣り用バッグを持ち運ぶことができる。一方、上記把手を倒伏姿勢とすることにより、該把手が上記バッグ本体の外側壁に沿ってバッグ本体の底部付近に位置せしめられ、バッグ本体内部に収容した釣り餌等の取出しの際や、釣り用バッグを足下に置いて釣りをする際に、把手が邪魔とならない。該把手は、不安定均衡位置より起立姿勢側では、その弾性変形の復元力により起立姿勢へ戻ろうとし、不安定均衡位置より倒伏姿勢側では、その弾性変形の復元力により倒伏姿勢へ戻ろうとする。したがって、把手は、常に起立姿勢又は倒伏姿勢のいずれかの姿勢となり、その中間の姿勢で把手の回動が静止することがない。また、風や自重等により、起立姿勢又は倒伏姿勢から回動するような力が把手に作用しても、該把手は起立姿勢又は倒伏姿勢を維持する。
【００１１】
また、好ましくは、上記釣り用バッグにおいて、上記把手の軸の少なくとも一方が、正面視において、軸線の一方側が水平方向より下方へ下がるように傾斜されたものである。ここで、正面視とは、釣り用バッグを載置した際に、一対の把手のいずれか一方が正面となる方向から視ることをいう。このように把手の軸が傾斜することにより、把手の中央部が上方又は下方へ向いたときに把手のＵ字形状が外側へ膨らむか、内側へ撓む。したがって、把手の略Ｕ字形状を適宜調整することにより、不安定均衡位置から起立姿勢又は倒伏姿勢へ向かって把手の弾性復元力が作用する。
【００１２】
また、好ましくは、上記釣り用バッグにおいて、上記把手の軸の少なくとも一方が、平面視において、軸線の一方側がバッグ本体外側へ向くように傾斜されたものである。ここで、平面視とは、釣り用バッグを載置して真上から視ることをいう。このように把手の軸が傾斜することにより、把手の中央部が側方へ向いたときに把手のＵ字形状が外側へ膨らむか、内側へ撓む。したがって、把手の略Ｕ字形状を適宜調整することにより、不安定均衡位置から起立姿勢又は倒伏姿勢へ向かって把手の弾性復元力が作用する。
【００１３】
また、好ましくは、上記釣り用バッグにおいて、上記把手の軸の少なくとも一方が、正面視において、軸線のバッグ本体外側が水平方向より下方へ下がるように傾斜されるとともに、平面視において、軸線のバッグ本体内側がバッグ本体外側へ向くように傾斜されたものである。このように把手の軸が傾斜することにより、把手の中央部が斜め上方を向いたときに把手のＵ字形状が最も外側へ膨らんで不安定均衡位置となり、該不安定均衡位置から起立姿勢又は倒伏姿勢へ向かって把手の弾性復元力が作用する。
【００１４】
また、好ましくは、上記釣り用バッグにおいて、上記把手は、その軸付近の所定領域において肉抜きがされたものである。これにより、該所定領域が不安定均衡位置へ向かって弾性変形し易くなり、把手全体を弾性変形可能なものとする必要がなく、また、把手の回動が円滑となる。
【００１５】
また、好ましくは、上記釣り用バッグにおいて、上記軸受け部は、弾性変形可能なものである。これにより、把手及び軸受け部の双方の弾性復元力を利用することができる。
【００１６】
また、好ましくは、上記釣り用バッグにおいて、上記把手は、対向する把手の中央部が起立姿勢において近接するように、バッグ本体から上方へ突出する部分がバッグ本体内側へ屈曲したものである。これにより、起立姿勢の一対の把手を合わせて掴みやすくなり、本釣り用バッグの可搬性が向上する。
【発明の効果】
【００１７】
このように、本発明に係る釣り用バッグによれば、把手が起立姿勢から倒伏姿勢まで姿勢変化する間に、把手の略Ｕ字形状を弾性変形させる不安定均衡位置が存在し、且つ該不安定均衡位置から起立姿勢及び倒伏姿勢へ向かって該弾性変形が復元するように、把手の軸を傾斜させたので、簡易な構成で該把手を起立姿勢又は倒伏姿勢で保持することができる。
【発明を実施するための最良の形態】
【００１８】
以下、適宜図面を参照して本発明の実施形態を説明する。
図１は、本発明の実施の形態に係る釣り用バッグ１の外観構成を示すものである。図に示すように、釣り用バッグ１は、直方体容器状のバッグ本体２と、該バッグ本体２の対向する外側壁にそれぞれ設けられた取付ステー３と、該取付ステー３に回動可能に取り付けられた把手４とを具備してなる。本釣り用バッグ１は、所謂バッカンと呼ばれるものであって、主に魚釣りの際に各種釣り道具や餌等を収容して持ち運ぶために用いられるものであるが、釣り用バッグ１に収容される物はこれらに限定されない。
【００１９】
上記バッグ本体２は、外形が略直方体に形成された中空の容器であり、図には詳細に表れていないが、内側に、ポリエチレン樹脂等の合成樹脂を中空容器状に形成したフレームを備え、該フレームを、ＥＶＡ（エチレン酢酸ビニル樹脂）等の合成樹脂からなる外側シートで覆ったものである。このようなフレームと外側シートとは、例えば縫製や接着、溶着等により密着するようにして接合されている。また、バッグ本体２は、上面が開口部であり、該開口部周りには剛性を確保するためにステンレス鋼等からなる開口ワイヤが設けられている。該開口部は、ＥＶＡ等の合成樹脂からなる矩形状のシートで構成された蓋２０で封止可能となっている。該蓋２０は、例えば、その１辺がバッグ本体２０の外側シート等に縫いつけられ、他の３辺にファスナ２１が取り付けられて、該ファスナ２１の開閉によりバッグ本体２の開口部を開閉できるようになっている。なお、このようなバッグ本体２の構成は一例であり、バッグ本体２を公知且つ任意の他の構成に変更することは可能であり、例えば、バッグ本体２の底部に断熱材又はクッション材として発泡合成樹脂を設けてもよい。
【００２０】
上述したように略直方体のバッグ本体２の対向する外側壁であって、長手側の２面の上部付近には取付ステー３が設けられている。該取付ステー３は、図２に示すように、バッグ本体２の外側面に固定するためのベース部３０と、該ベース部２０の中央付近に形成されたブリッジ部３１と、該ブリッジ部３１の両側方にそれぞれ形成された軸受け部３２とを備えてなるものであり、こられはＥＶＡ等の弾性を有する合成樹脂により一体的に成形されている。なお、取付ステー３を固定するバッグ本体２の対向する外側壁は、前述したように直方体の側面の長手側に限定されるものではないが、長手側の側面とすることにより、バッグ本体２の上方で合わさる把手４が短くなり、持ち運びの際の安定性が向上するので好ましい。
【００２１】
ベース部３０は、横長矩形の平板状のものであり、ブリッジ部３１が形成された中央部分が最も肉厚であり、該中央部分から両端へ向かって厚みが薄くなるようにテーパ状となっている。したがって、上記軸受け部３２は、そのテーパ状の傾斜面に形成されているが、これは、後述するように、軸受け部３２に支持される把手４の軸線を傾斜させるためである。なお、本実施の形態では、取付ステー３のベース部の厚みをテーパ状に変化させることにより軸受け部３２を後述するように傾斜させているが、この構成は軸受け部３２を傾斜させる一例であり、例えば、ベース部３０を同一厚みの平板状のものとして、該ベース部３０に楔状の部材をバッグ本体２の外側面に設けることにより、軸受け部３２を傾斜させるようにする等、他の構成によって軸受け部３２を傾斜させることもできる。
【００２２】
ブリッジ部３１は、ベース部３０との間に、その上下方向が開口した所定の空間が形成されるように側方へ突設されたものであり、該ブリッジ部３１には、タオルやコマセカッタ等の釣り用具を掛け止めたり、挟み込んで留めておくことができるようになっている。
【００２３】
軸受け部３２は、上記ブリッジ部３１の両側方において、概ね横方向が開口するようにして側方へ突出して形成されており、後述するように、把手４の軸４１の軸線を水平方向から傾斜するように軸支するものである。各軸受け部３２の下方には、該軸受け部３２と連続するようにしてベース部３０に切込み３３が形成されており、軸受け部３２の下側部分と連続した切込み３３をベース部３０から離すようにして軸受け部３２の下側部分を開放することにより、軸受け部３２の内側へ把手４の軸４１を嵌め込むことができるようになっている。このようにして軸４１を嵌め込んだ後、該切込み３３の裏面をバッグ本体２の外側面に接着等により固定して、把手４を軸受け部３２で回動可能に支持するようになっている。
【００２４】
図３は、一対の把手４の一方を示すものであるが、他方の把手４も同形状のものである。図に示すように、把手４は、全体形状が略Ｕ字形状に形成されたものであり、その両端を平板部４０として各々に軸４１が形成されており、中央を棒状部４２として円筒状の掴持部４３が形成されている。これら平板部４０及び棒状部４２は、ＥＶＡ等の弾性を有する合成樹脂により一体的に成形されている。したがって、把手４は、Ｕ字形状が外側へ膨らんだり内側へ撓むようにして弾性変形可能であり、弾性変形した状態から元のＵ字形状に戻ろうとする弾性復元力が生ずるものである。
【００２５】
軸４１は、Ｕ字形状の把手４の両端部において、Ｕ字状に把手４が延びる方向と略直交する方向に形成されている。さらに詳細に説明するに、平板部４０の一端から中央部へ向かって所定領域に、平板部４０が肉抜きされた空間４４がそれぞれ形成されており、該空間４４を渡るようにして軸４１が形成されている。該空間４４は、軸４１を上記軸受け部３２に嵌め込むためのものであり、また、把手４はＥＶＡ等の弾性部材で構成されており全体として弾性変形可能なものであるが、特に軸４１付近が弾性変形し易いようにするためのものである。
【００２６】
また、上記平板部４０は、所定位置でくの字状に屈曲した屈曲部４５を有する。該屈曲部４５は、図１に示すように、把手４がバッグ本体２から上方へ起立した起立姿勢において、上記掴持部４３を、対向する把手４の掴持部４３に近接させるために形成されたものであり、起立姿勢においてバッグ本体２の蓋２０より上方へ突出する把手４の一部分が、バッグ本体２の内側へ倒れ込む位置に形成されている。このような屈曲部４５により、図１に示すように、一対の把手４を起立姿勢とすれば、各把手４の掴持部４３が近接位置となり、上方から片手で掴むようにして両掴持部４３を持つことができる。
【００２７】
以下、上記把手４の軸４１の傾斜と、把手４の姿勢変化について詳述する。
図１に示すように、把手４は、バッグ本体２の対向する外側壁に取り付けられた取付ステー３の軸受け部３２に、その軸４１が支持されることにより、図に示すように、把手４の中央部を構成する棒状部４２がバッグ本体２の上方に位置するように起立する起立姿勢と、該棒状部４２がバッグ本体２の外側壁に沿って倒れ、掴持部４３がバッグ本体２の底部付近に位置する倒伏姿勢との間で姿勢変化可能となっている。このような起立姿勢から倒伏姿勢まで姿勢変化する間に、把手４の略Ｕ字形状を弾性変形させる不安定均衡位置を有し、且つ該不安定均衡位置から起立姿勢及び倒伏姿勢へ向かって該弾性変形が復元するように、上記軸４１が傾斜されている。
【００２８】
さらに詳細に説明するに、図４に示すように、釣り用バッグ１の正面視においては、把手４の各軸４１の各軸線Ｏは、そのバッグ本体２の外側が水平方向より下方へ下がるように傾斜されている。すなわち、取付ステー３の正面視において、各軸受け部３２は、その軸線（軸線Ｏと略一致する）がハの字状に傾斜するように形成されており、該軸受け部３２に軸４１が嵌合されることにより、各軸４１の軸線Ｏもハの字状に傾斜している。したがって、各軸４１と直交する方向へ延出する平板部４０は、図に示した１点鎖線Ｌに沿った回動軌跡となり、該平板部４０が軸線Ｏより上方へ向いて回動している際には、該平板部４０は軸４１より外側を向くように広がる。これにより、把手４のＵ字形状が外側へ膨らむように弾性変形する。一方、平板部４０が軸線Ｏより下方へ向いて回動しているときには、該平板部４０は軸４１より内側を向くように狭まる。これにより、把手４のＵ字形状が内側へ撓むように弾性変形する。
【００２９】
一方、図５に示すように、釣り用バッグ１の平面視においては、把手４の各軸４１の各軸線Ｏは、そのバッグ本体２の内側がバッグ本体２の外側へ向いて開くように傾斜されている。すなわち、前述したように、取付ステー３のベース部３０のテーパ状の傾斜面に各軸受け部３２が形成されることにより、各軸受け部３２は、平面視において、その軸線（軸線Ｏと略一致する）がハの字状に傾斜するように形成されており、該軸受け部３２に軸４１が嵌合されることにより、各軸４１の軸線Ｏもハの字状に傾斜している。したがって、各軸４１と直交する方向へ延出する平板部４０は、図に示した１点鎖線Ｍに沿った回動軌跡となり、該平板部４０がバッグ本体２の内側へ向いて回動している際には、該平板部４０は軸４１より内側を向くように狭まる。したがって、把手４のＵ字形状は内側へ撓むように弾性変形する。一方、平板部４０がバッグ本体２の外側へ向いて回動しているときには、該平板部４０は軸４１より外側を向くように広がる。したがって、把手４のＵ字形状は外側へ膨らむように弾性変形する。
【００３０】
前述したように、上記把手４の軸４１の軸線Ｏは、正面視において、バッグ本体２の外側が水平方向より下方へ下がるように傾斜されるとともに、平面視において、バッグ本体２の内側がバッグ本体外側へ向くように傾斜されている。このように各把手４の各軸４１が傾斜することにより、図６に示すように、把手４の平板部４０がバッグ本体２の外側へ斜め上方を向いたときに把手４のＵ字形状が最も外側へ膨らむこととなる。すなわち、正面視においては、把手４の各軸４１の各軸線Ｏが、そのバッグ本体２の外側が水平方向より下方へ下がるように傾斜することにより、平板部４０が略垂直方向上方を向いたときに、把手４が最も外側へ膨らむように弾性変形し、一方、平面視においては、把手４の各軸４１の各軸線Ｏが、そのバッグ本体２の内側がバッグ本体２の外側へ向いて開くように傾斜することにより、平板部４０が略水平方向外側へ向いたときに、把手４が最も外側へ膨らむように弾性変形するのであるから、これら傾斜が組み合わされることにより、垂直方向上方と水平方向外側の略中間であるバッグ本体２の外側斜め上方へ平板部４０が向いたときに、把手４のＵ字形状が最も外側へ膨らむのである。
【００３１】
この把手４のＵ字形状が最も外側へ膨らむ回動位置を本発明の不安定均衡位置と呼ぶ。前述したように、不安定均衡位置では把手４の弾性変形が最大であるから、把手４の弾性復元力も最大である。この弾性復元力が最大に付与された把手４が、不安定均衡位置から起立姿勢又は倒伏姿勢のいずれか一方側へ移動すると、その弾性復元力により起立姿勢又は倒伏姿勢へ向かって把手４が回動される。つまり、不安定均衡位置は、把手４を起立姿勢へ回動させる弾性復元力と、倒伏姿勢へ回動させる弾性復元力とが釣り合った状態にあるが、少しでも起立姿勢又は倒伏姿勢へ回動し始めれば不安定均衡位置から遠ざかる方向へ回動する位置である。
【００３２】
このような弾性復元力は、把手４の弾性変形のみならず、軸受け部３２の弾性変形によっても同様に生ずる。前述したように、取付ステー３も弾性部材から成形されたものであるから、軸受け部３２も弾性変形可能であり、弾性変形した場合には弾性復元力が生ずる。把手４のＵ字形状が膨らむように弾性変形する際には、各軸４１の軸線Ｏが同一軸線上となるように、いわば軸線Ｏの傾斜を是正するような力が加わり、該力により、軸４１及び軸受け部３２が弾性変形する。この軸受け部３２の弾性変形によって生ずる弾性復元力も、前述した把手４の弾性復元力と同様に、把手４を不安定均衡位置から起立姿勢又は倒伏姿勢へ向かって回動させる力として作用する。
【００３３】
一方、軸４１及び軸受け部３２の弾性変形があまりに大きければ、把手４を回動させ難くなるが、前述したように、把手４の平板部４０において、軸４１付近の所定領域が肉抜くされているので、その肉抜くされた領域の平板部４０は他の部分より弾性変形し易くなっている。これにより、軸４１及び軸受け部３２に過度の弾性変形が生じず、把手４の回動が円滑なものとなる。
【００３４】
このように軸４１が傾斜されることにより、把手４を起立姿勢とすれば、該把手４が下方へ回動するには把手４及び軸受け部３２を弾性変形させるだけの力が必要となるので、把手４及び軸受け部３２に生ずる弾性復元力が自重や風による力より大きくなるように設定すれば、一旦起立姿勢とされた把手４は、支える手を離しても下方へ回動することなく起立姿勢を維持する。よって、一対の把手４を起立させて釣り用バッグ１を持ち運ぼうとする際に、一方の把手４を起立させてから他方の把手４を起立させるまで、先に起立させた把手４を支えている必要がないので、両手を使うことなく片手で把手４をそれぞれ起立姿勢として、両把手４の掴持部４３を掴んで釣り用バッグ１を持ち運ぶことができる。また、釣り用バッグ１を持ち替えたり自動車等に積載する際に、一旦地上に載置して手を離しても、把手４が起立姿勢に維持されているので、該把手４を再び持つことが容易である。
【００３５】
一方、把手４を倒伏姿勢とすれば、該把手４が上方へ回動するには把手４及び軸受け部３２を弾性変形させるだけの力が必要となるので、上記弾性復元力が風等の外力より大きくなるように設定すれば、一端倒伏姿勢とされた把手４は、風等に煽られてばたつくことなく倒伏姿勢を維持する。よって、釣り用バッグ１を載置して魚釣りをしている際に、把手４がばたついて足に不用意に接触することがない。
【００３６】
なお、本実施の形態では、把手４の両端の各軸４１の軸線Ｏをともに傾斜させることとしているが、いずれか一方の軸４１のみ傾斜させることとしても、本実施の形態と同様の効果を得ることができる。したがって、両軸４１とも傾斜させるか否かや、どの程度傾斜させるかについては、把手４の自重や受けうる外力等から必要とされる把手４の弾性復元力や、把手４の取り扱いやすさ等を考慮して適宜設定される。また、本実施の形態では、釣り用バッグ１の正面視及び平面視のいずれからも軸４１を傾斜したものとしたが、必ずしも、双方から視て軸４１を傾斜させる必要はなく、把手４の形状等に合わせていずれか一方から視た場合のみ軸４１を傾斜させてもよい。さらには、本実施の形態では、起立姿勢から倒伏姿勢まで回動する際に、把手４のＵ字形状が外側へ膨らむように軸４１を傾斜させているが、軸４１の傾斜方向を逆して、把手４のＵ字形状が内側へ撓むようにして、把手４及び軸受け部３２に弾性復元力を生じさせることもできる。
【図面の簡単な説明】
【００３７】
【図１】図１は、本発明の実施の形態に係る釣り用バッグ１の外観構成を示す斜視図である。
【図２】図２は、取付ステー３の外観構成を示す斜視図である。
【図３】図３は、把手４の外観構成を示す斜視図である。
【図４】図４は、釣り用バッグ１の正面図である。
【図５】図５は、釣り用バッグ１の平面図である。
【図６】図６は、把手４の不安定均衡位置を示す側面図である。
【図７】図７は、従来の釣り用バッグ９０の外観構成を示す正面図である。
【符号の説明】
【００３８】
１・・・釣り用バッグ
２・・・バッグ本体
４・・・把手
３２・・・軸受け部
４１・・・軸
【図１】
2006211960.tif 000003
【図２】
2006211960.tif 000004
【図３】
2006211960.tif 000005
【図４】
2006211960.tif 000006
【図５】
2006211960.tif 000007
【図６】
2006211960.tif 000008
【図７】
2006211960.tif 000009